(57)【要約】【課題】組み立て工程を簡略化することができ、耐久性と組み立て時の安全性に優れた巾木用蓋板を提供する。【解決手段】巾木１は、トイレブースの床面８に固定される上面開口の下巾木２と、間仕切りパネルの下端に取り付けられ、下巾木２に被さる下面開口の上巾木４とで構成される。蓋板５は、端板１０と、上板１３と、固定部１１、１２とからなり、固定部１１、１２は、上板１３を形成している金属板の一部を端板１０に沿う方向に折り曲げ、さらにその両端が対向するように折り曲げて形成されている。固定部１１と固定部１２との間隔は、上巾木４の側板４２と側板４３との間隔より僅かに小さくなるように形成されている。蓋板５を上巾木４の端部に嵌め込む際に、固定部１１が上巾木４の側板４２の内側に接触し、固定部１２が上巾木４の側板４３の内側に接触し、押圧されて固定される。【選択図】  図１
2005344378.tif 000002
【特許請求の範囲】
【請求項１】
トイレブースの床面に固定される上面開口の下巾木と、間仕切りパネルの下端に取り付けられて前記下巾木に被さる下面開口の上巾木とを備えた巾木の先端部に密着固定される巾木用蓋板であって、端板と上板と固定部とからなり、前記固定部は巾木用蓋板を上巾木の端部に嵌め込む際に上巾木の側板の内側に接触するように形成されていることを特徴とする巾木用蓋板。
【請求項２】
前記上板は、その中央部が下側に湾曲して形成されていることを特徴とする請求項１記載の巾木用蓋板。
【発明の詳細な説明】
【技術分野】
【０００１】
本発明は、トイレブースの間仕切りパネルと床面との間の隙間を塞ぐ巾木の先端部に密着固定される巾木用蓋板に関する。
【背景技術】
【０００２】
トイレブースの間仕切りパネルと床面との間の隙間を塞ぐ部材として巾木が用いられている。従来の巾木の一例を図３、図４に示す。
図３において、トイレブースを仕切るための間仕切りパネル７と床面８との間が、ステンレス製の巾木１で塞がれている。図４に巾木１の構成を示す。図４において、巾木１は、床面８にビス止めされる上面開口の杆状の下巾木２と、間仕切りパネル７の下面にビス止めされ、下巾木２の外側を覆う下面開口の上巾木４とで構成されている。
【０００３】
下巾木２と上巾木４とは、ステンレス板を曲げて加工した杆部材の端部に、端板３１、５１を溶接により固定しているため、巾木１の製作に手間と時間がかかりコスト高となっていた。
【０００４】
この問題を解決するために、本発明者は、特許文献１において開示されている巾木を発明した。この巾木の構成を図５に示す。
図５において、巾木１は、トイレブースの床面８に固定される上面開口の下巾木２と、間仕切りパネル７の下端に取り付けられ下巾木２に被さる下面開口の上巾木４とで構成される。下巾木２の端部の蓋板３は、下巾木２の両側板２２、２３間を塞ぐ端板３１とこの端板３１の下端に内向きに突設され、下巾木２の上板２１と一緒にビス止めされる支え板３２とで形成されている。上巾木４の端部の蓋板５は、上巾木４の両側板４２、４３間を塞ぐ端板５１とこの端板５１の上端に内向きに突設された支えバネ板５２とで形成され、支えバネ板５２は上巾木４を間仕切りパネル７に固定するビス４５の首下の嵌入を許す先端が開口した貫通溝孔５６を開設しており、支えバネ板５２がビス４５の首下と上巾木４の天板４１の内面との間を突っ張って蓋板５を係止している。
【０００５】
下巾木２内には、上巾木４の高さを調節するジャッキ６が配備されている。ジャッキ６は、天板６１の両側に下向きに脚板６２、６３を突設し、天板６１に開設したビス孔６４にボルト６５を螺合して形成されている。
以上の構成によって、従来の溶接によって端板３１、５１を固定することに比べて、作業性が良く、コストを低減することができる。
【０００６】
【特許文献１】実公平８−３５４３号公報
【発明の開示】
【発明が解決しようとする課題】
【０００７】
しかし、その後の検討によって、上記の巾木についても組み立て工程の簡略化等について改良の余地があることがわかった。
本発明は、このような事情を考慮してなされたもので、組み立て工程を簡略化することができ、耐久性と組み立て時の安全性に優れた巾木用蓋板を提供することを目的とする。
【課題を解決するための手段】
【０００８】
以上の課題を解決するために、本発明の巾木用蓋板は、トイレブースの床面に固定される上面開口の下巾木と、間仕切りパネルの下端に取り付けられて前記下巾木に被さる下面開口の上巾木とを備えた巾木の先端部に密着固定される巾木用蓋板であって、端板と上板と固定部とからなり、前記固定部は巾木用蓋板を上巾木の端部に嵌め込む際に上巾木の側板の内側に接触するように形成されていることを特徴とする。
【０００９】
巾木用蓋板に上記の固定部を設けることにより、蓋板を上巾木の端部に嵌め込む際に、固定部は上巾木の側板によって押圧されて固定される。そのため、固定部と側板とは、蓋板を上巾木の端部に嵌め込むという簡単な操作だけによって、隙間を生じることなく密着して固定される。これにより、巾木の内部への水の浸入を防止することができ、間仕切りパネルの腐食を防止することができる。また、固定の際に蓋板が横ずれを生じないために、巾木の組立作業を短時間で安全に行うことができる。
【００１０】
また、本発明の巾木用蓋板の上板は、その中央部が下側に湾曲して形成されていることを特徴とする。上板が湾曲していることによって、固定の際に上板を弾性変形させつつビスの首下を嵌め込んで固定することになり、蓋板と上巾木との固定を強固なものとすることができる。
【発明の効果】
【００１１】
本発明によると、蓋板を上巾木の端部に嵌め込むという簡単な操作によって、隙間を生じることなく密着して蓋板を上巾木に固定することができる。そのため、巾木の内部への水の浸入を防止することができ、間仕切りパネルの腐食を防止することができる。また、固定の際の巾木用蓋板の横ずれやぐらつきがないため、巾木の組立作業を短時間で安全に行うことができる。
【発明を実施するための最良の形態】
【００１２】
以下、本発明をその実施形態に基づいて詳細に説明する。
図１に、本発明の実施形態に係る巾木の構成を示す。
巾木１は、トイレブースの床面８に固定される上面開口の下巾木２と、間仕切りパネルの下端に取り付けられ、下巾木２に被さる下面開口の上巾木４とで構成される。下巾木２と上巾木４は、ステンレス板を曲げて形成することができる。
【００１３】
蓋板５は、端板１０と、上板１３と、固定部１１、１２とからなり、固定部１１、１２は、上板１３を形成している金属板の一部を端板１０に沿う方向に折り曲げ、さらにその両端が対向するように折り曲げて形成されている。固定部１１と固定部１２との間隔は、上巾木４の側板４２と側板４３との間隔より僅かに小さくなるように形成されている。
蓋板５を上巾木４の端部に嵌め込む際に、固定部１１が上巾木４の側板４２の内側に接触し、固定部１２が上巾木４の側板４３の内側に接触する。その際、固定部１１、１２は上巾木４の側板４２、４３によって押圧されて固定される。そのため、固定部１１と側板４２、固定部１２と側板４３は、蓋板５を上巾木４の端部に嵌め込むという簡単な操作だけによって、隙間を生じることなく密着して固定される。蓋板５が上巾木４に密着して固定された後、トイレブースの床面８に固定された下巾木２に上巾木４が被せられる。
【００１４】
図２は、蓋板５を側面から見た図である。上板１３はその中央部が下側に湾曲して形成されている。上板１３の凹部１４と上巾木４の切欠部１５とをビスを介して固定する際に、上板１３が湾曲していることによって、上板１３を弾性変形させつつビスの首下を嵌め込むことになり、蓋板５と上巾木４との固定を強固なものとすることができる。
【００１５】
蓋板５が横ずれを生じると、清掃時において水が巾木の内部に浸入しやすくなるが、本発明の上記の構成によると、蓋板５が横ずれを生じずに上巾木４に密着して固定されるため、巾木１の内部への水の浸入を防止することができ、間仕切りパネル７の腐食を防止することができる。また、蓋板５のぐらつきがないため、巾木１の組立作業を短時間で安全に行うことができる。
なお、巾木１の高さ調節は、下巾木２上巾木４の接合位置を必要に応じて調整することによって行うことができる。
【産業上の利用可能性】
【００１６】
本発明は、トイレブースの間仕切りパネルと床面との間の隙間を塞ぐ巾木用蓋板として利用することができ、巾木と巾木用蓋板とを安定して密着固定することができる。
【図面の簡単な説明】
【００１７】
【図１】本発明の実施形態に係る巾木の構成を示す図である。
【図２】蓋板を側面から見た図である。
【図３】トイレブースの間仕切りパネルと床面との間の隙間を塞ぐ巾木を示す図である。
【図４】従来の巾木の一例を示す図である。
【図５】特許文献１に記載の巾木の構成を示す図である。
【符号の説明】
【００１８】
１  巾木
２  下巾木
３  蓋板
４  上巾木
５  蓋板
７  間仕切りパネル
８  トイレブースの床面
１０  端板
１１、１２  固定部
１３  上板
１４  凹部
１５  切欠部
４２  側板
４３  側板
【図１】
2005344378.tif 000003
【図２】
2005344378.tif 000004
【図３】
2005344378.tif 000005
【図４】
2005344378.tif 000006
【図５】
2005344378.tif 000007